(57)【要約】【課題】信号入力コネクタを有するコネクタ基板を背面に備えたプロジェクタにおいて、本体を設置面に対して傾けた場合においても外部ケーブルのコネクタ接続を容易にする。【解決手段】プロジェクタ１は、プロジェクタ１の仰角を調整する角度調整機構６と背面パネル４をリンクさせ、高さを調整する調整ねじ部６１のハウジング２の底面１１からの突出量に応じて、背面パネル４のハウジング２の側面１１に対する回転角度を変化させるリンク機構１０を備え、ハウジング２を設置面に対して傾斜させた場合において、コネクタ基板７を設置面に対して略直角に配設する。これにより、プロジェクタ１の傾斜時においても背面パネル４における信号コネクタ５ａ及び電源コネクタ５ｂの方向を略水平方向に保つことができ、信号ケーブル５ｘ及び電源ケーブル５ｙとの接続をし易くなり、接続時間を短縮できる。【選択図】図５
2007304146.tif 000002
【特許請求の範囲】
【請求項１】
光源と、
光源から出射された光の光路上に設けられ、三原色に相当するカラーフィルタが所定角度ピッチで形成され、一定速度で回転するカラーホイールと、
前記光源から出射された光を前記カラーホイールの一部に集光するための、少なくとも反射板を備えた集光部材と、
前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、
前記ＤＭＤに対して前記所定方向に配置され、前記ＤＭＤにより反射された光束をスクリーン上に投影する投影レンズと、
前記映像信号を用いて前記ＤＭＤを駆動するＤＭＤ駆動回路と、
プロジェクタ全体を制御する全体制御回路と、
前記光源を駆動する光源駆動回路と、
前記ＤＭＤ駆動回路、前記全体制御回路及び前記光源駆動回路を含むプロジェクタ各部に電力を供給するための電源回路と、
前記各部材を収納するハウジングと、
前記ハウジングの前面近傍に設けられ、前記ハウジングの底面から突出される主脚を有し、前記主脚の前記底面からの突出量を調節することによって前記ハウジングの前面側を持ち上げ、前記投影レンズの仰角を調節する角度調整機構とを備え、
外部から入力された映像信号を用いて画像を作成し、投影レンズを用いてその画像を前方に配置されたスクリーンに拡大投影するプロジェクタにおいて、
前記ハウジングは、その背面に形成された略矩形の開口と、ハウジングの両側面に対して回転可能に保持され、前記開口を覆う背面パネルとを有し、
前記背面パネルには、外部からの映像信号が入力される入力コネクタ及び商用電源からの電力が入力されるインレットが実装されたコネクタ基板が装着されており、
前記ハウジングの内部には、前記角度調整機構と前記背面パネルをリンクさせ、前記主脚の前記底面からの突出量に応じて、前記背面パネルの前記ハウジングの側面に対する回転角度を変化させるリンク機構がさらに設けられ、
それによって、前記角度調整機構により前記投影レンズの仰角が調節されるにもかかわらず、前記背面パネルは常に前記ハウジングが設置される面に対して略垂直に維持され、信号ケーブル及び電源ケーブルを前記入力コネクタ及び前記インレットに接続し易くしたことを特徴とするプロジェクタ。
【請求項２】
外部から入力された映像信号を用いて画像を作成し、投影レンズを用いてその画像を前方に配置されたスクリーンに拡大投影するプロジェクタにおいて、
前記投影レンズを含むプロジェクタ内の各部材を収納するハウジングと、
前記投影レンズの仰角を調節する角度調整機構とを備え、
前記ハウジングは、その背面に形成された略矩形の開口と、ハウジングの両側面に対して回転可能に保持され、前記開口を覆う背面パネルとを有し、
前記背面パネルには、外部からの映像信号が入力される入力コネクタが実装されたコネクタ基板が装着されており、
前記ハウジングの内部には、前記角度調整機構と前記背面パネルをリンクさせ、角度調整により前記背面パネルの前記ハウジングの側面に対する回転角度を変化させるリンク機構がさらに設けられ、
それによって、前記角度調整機構により前記投影レンズの仰角が調節されるにもかかわらず、前記背面パネルは常に前記ハウジングが設置される面に対して略垂直に維持され、信号ケーブルを前記入力コネクタに接続し易くしたことを特徴とするプロジェクタ。
【請求項３】
前記角度調整機構は、前記ハウジングの前面近傍に設けられ、前記ハウジングの底面から前記ハウジングの前面側を持ち上げるように突出して前記底面からの突出量が調節される主脚を有し、
前記リンク機構は、前記主脚の前記底面からの突出量に応じて、前記背面パネルの前記ハウジングの側面に対する回転角度を変化させることを特徴とする請求項２に記載のプロジェクタ。
【発明の詳細な説明】
【技術分野】
【０００１】
本発明は、テレビジョン映像をスクリーンに拡大して投影する入力コネクタ（及び商用電源からの電力が入力されるインレット）を背面パネルに備えたプロジェクタ装置において、設置面に対して傾斜配置された装置におけるコネクタ接続の容易化に関する。
【背景技術】
【０００２】
近年、テレビジョン映像をスクリーンに投射して、大画面映像を楽しむことができるプロジェクション・テレビジョン装置（以下、プロジェクタと略す）が、機器の小型化と輝度の向上により、注目され、需要が高まってきている。このプロジェクタは、ＶＣＲやＤＶＤ、またはパソコン等の他の映像機器やコンピュータを外部ゲーブルを用いてプロジェクタの入力コネクタに接続することにより、画像を投影するために利用される。また、図８に示すように、従来のプロジェクタ１００では、拡大画面を得るためプロジェクタ１００をスクリーンから離して、プロジェクタ１００の本体１０１を設置面に対して、前面の投影レンズ１０２側を高く上げて傾斜させるための昇降部１０４が設けられている。画像をスクリーンに合わせて投影する際に、昇降部１０４において高さを上げて傾斜を大きくすると、プロジェクタ１００の背面にコネクタ１０３を有するプロジェクタ１００では、この傾斜によりコネクタ１０３の接続方向が下向きになり、外部ケーブル１０５を入力コネクタ１０３に接続し難く、接続に時間を要するという問題があった。
【０００３】
また、従来のプロジェクタにおいて、投影レンズ保護のために投影レンズの投射口に、この投射口を開閉する開閉版を設け、本体ケースの底面から突出されて仰角を調整する突出部材を有し、この突出部材の突出量で仰角を調整するアジャスタ機構と、アジャスタ機構を駆動制御する制御装置と、電動モータと、突出部材の上下運動に応じて投射口を開閉する開閉板を動作させる連動機構を備え、突出部材を昇降させてケースの仰角を調整し、突出部材の移動に応じて開閉板を動作させて投射口を開閉するものが知られている（例えば、特許文献１参照）。また、他の従来例として、プロジェクタの傾斜を調整する高さ調整機構として、本体に支持されるスライド部材とこのスライド部材を付勢するスプリングとスライド部材と係合可能な調整ダイヤルと、調整ダイヤルを回転可能に支持するゴム台とを備え、スライド部材を押し込むことにより調整ダイヤルをフリー状態にして、高さの大幅な変更を可能にしたものが知られている（例えば、特許文献２参照）。また、さらに他の従来例として、プロジェクタを下方より支持すると共に、プロジェクタを略水平に回動する回転台と、この回転台を設置面に対して３箇所で支持すると共に、その３箇所をそれぞれ上下に昇降可能とする脚部を備えたプロジェクタの姿勢を調整する位置調整機構が知られている（例えば、特許文献２参照）。
【０００４】
ところが、特許文献１、２、３に示されるような装置においては、いずれも映像の拡大投影時に本体を設置面に対して傾斜して設置するため、背面にコネクタを備えたプロジェクタでは、コネクタが下方を向くので、外部ケーブルのコネクタを接続し難く、接続に時間を要すると共に、外部ケーブルを小さい半径で曲げる必要があるのでケーブルを傷めることがあり、電気特性の劣化やケーブル信頼性を低下させる虞があった。
【特許文献１】ＷＯ２００３／１０４８９３号公報
【特許文献２】特開２００４−３２８３３０号公報
【特許文献３】特開２００４−５６７７３号公報
【発明の開示】
【発明が解決しようとする課題】
【０００５】
本発明は、上記の問題を解決するためになされたものであり、入力コネクタ（及び商用電源からの電力が入力されるインレット）を背面にコネクタ基板を備えたプロジェクタにおいて、投影画像の仰角の調整時に、背面のコネクタ基板を設置面に垂直になるようにすることにより、外部ケーブルとのコネクタ接続を容易にするプロジェクタ装置を提供することを目的とする。
【課題を解決するための手段】
【０００６】
上記目的を達成するために請求項１の発明は、光源と、光源から出射された光の光路上に設けられ、三原色に相当するカラーフィルタが所定角度ピッチで形成され、一定速度で回転するカラーホイールと、前記光源から出射された光を前記カラーホイールの一部に集光するための、少なくとも反射板を備えた集光部材と、前記カラーホイールを透過した光束の光路上に設けられ、二次元的に配列された微小ミラーの集合体であって、外部から入力された映像信号に応じて前記微小ミラーの角度を変化させ、前記カラーホイールを透過した光束を所定方向と前記所定方向以外の方向に反射させるＤＭＤ（デジタルマイクロミラーデバイス）と、前記ＤＭＤに対して前記所定方向に配置され、前記ＤＭＤにより反射された光束をスクリーン上に投影する投影レンズと、前記映像信号を用いて前記ＤＭＤを駆動するＤＭＤ駆動回路と、プロジェクタ全体を制御する全体制御回路と、前記光源を駆動する光源駆動回路と、前記ＤＭＤ駆動回路、前記全体制御回路及び前記光源駆動回路を含むプロジェクタ各部に電力を供給するための電源回路と、前記各部材を収納するハウジングと、前記ハウジングの前面近傍に設けられ、前記ハウジングの底面から突出される主脚を有し、前記主脚の前記底面からの突出量を調節することによって前記ハウジングの前面側を持ち上げ、前記投影レンズの仰角を調節する角度調整機構とを備え、外部から入力された映像信号を用いて画像を作成し、投影レンズを用いてその画像を前方に配置されたスクリーンに拡大投影するプロジェクタにおいて、前記ハウジングは、その背面に形成された略矩形の開口と、ハウジングの両側面に対して回転可能に保持され、前記開口を覆う背面パネルとを有し、前記背面パネルには、外部からの映像信号が入力される入力コネクタ及び商用電源からの電力が入力されるインレットが実装されたコネクタ基板が装着されており、前記ハウジングの内部には、前記角度調整機構と前記背面パネルをリンクさせ、前記主脚の前記底面からの突出量に応じて、前記背面パネルの前記ハウジングの側面に対する回転角度を変化させるリンク機構がさらに設けられ、それによって、前記角度調整機構により前記投影レンズの仰角が調節されるにもかかわらず、前記背面パネルは常に前記ハウジングが設置される面に対して略垂直に維持され、信号ケーブル及び電源ケーブルを前記入力コネクタ及び前記インレットに接続し易くしたものである。
【０００７】
請求項２の発明は、外部から入力された映像信号を用いて画像を作成し、投影レンズを用いてその画像を前方に配置されたスクリーンに拡大投影するプロジェクタにおいて、前記投影レンズを含むプロジェクタ内の各部材を収納するハウジングと、前記投影レンズの仰角を調節する角度調整機構とを備え、前記ハウジングは、その背面に形成された略矩形の開口と、ハウジングの両側面に対して回転可能に保持され、前記開口を覆う背面パネルとを有し、前記背面パネルには、外部からの映像信号が入力される入力コネクタが実装されたコネクタ基板が装着されており、前記ハウジングの内部には、前記角度調整機構と前記背面パネルをリンクさせ、角度調整により前記背面パネルの前記ハウジングの側面に対する回転角度を変化させるリンク機構がさらに設けられ、それによって、前記角度調整機構により前記投影レンズの仰角が調節されるにもかかわらず、前記背面パネルは常に前記ハウジングが設置される面に対して略垂直に維持され、信号ケーブルを前記入力コネクタに接続し易くしたものである。
【０００８】
請求項３の発明は、請求項２に記載のプロジェクタにおいて、前記角度調整機構は、前記ハウジングの前面近傍に設けられ、前記ハウジングの底面から前記ハウジングの前面側を持ち上げるように突出して前記底面からの突出量が調節される主脚を有し、前記リンク機構は、前記主脚の前記底面からの突出量に応じて、前記背面パネルの前記ハウジングの側面に対する回転角度を変化させるものである。
【発明の効果】
【０００９】
請求項１の発明によれば、ハウジングを設置面に対して傾斜させた場合においても、コネクタ基板を設置面に対して略直角にできるので、入力コネクタ及び商用電源からの電力が入力されるインレットの方向を略水平方向に保つことができ、信号ケーブル及び電源ケーブルとの接続がし易くなり、接続時間を短縮できる。また、コネクタ接続において、信号ケーブル及び電源ケーブルを無理に曲げる必要がないので、曲がりによる各ケーブルの電気特性の劣化、破損等を防ぐことができ、信頼性の高いコネクタ接続が可能になる。また、角度調整機構と背面パネルの回転をリンクさせたことにより、角度調整時に自動的にコネクタ基板を回転して設置面に対して直角に設定できるので、コネクタ接続の作業性が向上する。また、角度調整を主脚の底面からの突出量を変えて行うので、主脚の位置移動による大きな上下の変動力を得ることができ、この変動力により背面パネルを回転する回転力を大きくできる。その結果、角度調整に対応して背面パネルを確実に応答良く回転させることができ、所定の角度に設定することができる。
【００１０】
請求項２の発明によれば、ハウジングを設置面に対して傾斜させた場合においても、コネクタ基板を設置面に対して略直角にできるので、入力コネクタの方向を略水平方向に保つことができ、信号ケーブルとの接続がし易くなり、接続時間を短縮できる。また、接続部において、信号ケーブルを無理に曲げる必要がないので、曲がりによる信号ケーブルの電気特性の劣化、破損等を防ぐことができ、信頼性の高いコネクタ接続が可能になる。
【００１１】
請求項３の発明によれば、角度調整を主脚の底面からの突出量を変えて行うので、主脚の位置移動による大きな上下の変動力を得ることができることにより、この変動力により背面パネルを回転する回転力を大きくでき、角度調整に対応して背面パネルを確実に応答良く回転させることができる。
【発明を実施するための最良の形態】
【００１２】
以下、本発明の一実施形態に係るプロジェクタについて図１乃至図６を参照して説明する。図１は、本実施形態のプロジェクタの外観を示す。プロジェクタ１は、テレビジョン受像機、ビデオテープレコーダ、ＤＶＤプレーヤ及びパソコン等から入力される画像データをスクリーンに拡大して投影表示する装置である。このプロジェクタ１は、装置本体として矩形の筐体からなるハウジング２と、このハウジング２の前面に配設された画像投影する投影レンズ部３と、ハウジング２を背面よりカバーする背面パネル４と、この背面パネル４に装着された信号コネクタ５ａ（入力コネクタ）及び商用電源からの電力が入力される電源コネクタ５ｂ（インレット）と、このハウジング２の底面に設けられたハウジング２の投射角度を調整する角度調整機構６とを備えている。
【００１３】
本実施形態のプロジェクタ１におけるハウジング２には、図２に示すように、光源２１ａと、光源２１ａから出射された光の光路上に設けられ、三原色に相当するカラーフィルタが所定角度ピッチで形成され、一定速度で回転するカラーホイール２１ｂと、光源２１ａから出射された光をカラーホイール２１ｂの一部に集光するための、少なくとも反射板を備えた集光部材２１ｃと、カラーホイール２１ｂを透過した光束の光路上に設けられ、二次元的に配列された微小ミラーの集合体であって、外部から入力された映像信号に応じて前記微小ミラーの角度を変化させ、カラーホイール２１ｂを透過した光束を所定方向とこの所定方向以外の方向に反射させるＤＭＤ（デジタルマイクロミラーデバイス）２２と、を備え、投影レンズ３は、このＤＭＤ２２に対して前記所定方向に配置され、ＤＭＤ２２により反射された光束をスクリーン上に投影する。また、映像信号を用いてＤＭＤ２２を駆動するＤＭＤ駆動回路２３と、プロジェクタ全体を制御する全体制御回路２４と、光源を駆動する光源駆動回路２５と、ＤＭＤ駆動回路２３、全体制御回路２４及び光源駆動回路２５を含むプロジェクタ各部に電力を供給する電源回路２６とを備える。また、背面パネル４の映像信号用の信号コネクタ５ａと接続され映像信号を信号処理してＤＭＤ駆動回路２３に供給する映像信号処理回路２７、音声信号用の信号コネクタ５ａと接続され音声信号を信号処理してスピーカ２８に供給する音声処理回路２９とを備え、ＡＣ電源が入力される電源コネクタ５ｂは電源回路２６に接続されている。
【００１４】
また、ハウジング２は、図３乃至図６に示されるように、プロジェクタ１の各部材を収納すると共に、このハウジング２の前面近傍に設けられ、投影レンズ３の仰角を調節する角度調整機構６と、背面側の底面でハウジング２を支える支持台１４とを備える。この角度調整機構６は、ハウジング２の前面側を支え、ハウジング２の底面１１のねじ穴１１ａに螺合して底面１１から突出される調整ねじ部６１（主脚）を備え、この調整ねじ部６１は、この調整ねじ部６１を回転させてハウジング２内に突出させる調整ダイヤル部６２を有する。この調整ダイヤル部６２により、調整ねじ部６１は、手動で回転されて底面１１からのその突出量が調節されることによってハウジング２の前面側を持ち上げて角度調整を行う。また、ハウジング２は、その背面に形成された略矩形の開口２ａと、ハウジング２の両側面２ｂの高さ方向の略中間点に貫通孔１５ａを有した回転支持部１５を備え、この回転支持部１５により回転可能に保持され、開口２ａを覆う背面パネル４を有している。回転支持部１５は、貫通孔１５ａを貫通する回転軸用ねじ１６と、この回転軸用ねじ１６を支える座ぐり部１５ｂとを有する。
【００１５】
背面パネル４は、高さ方向の両側辺の中間点にその中間点を結ぶ水平方向を回転軸とする回転軸ねじ孔４１ａを持つ回転軸支持部４１が設けられている。ハウジング２の回転支持部１５と背面パネル４の回転軸支持部４１は略同一水平線上に配設され、回転軸用ねじ１６をハウジング２の両側面から貫通して挿入し、回転軸支持部４１にねじ止めすることによって連結される。これにより、背面パネル４はハウジング２の両側面２ｂに対してハウジング２の前後方向に回転可能に保持される。また、背面パネル４は、信号コネクタ５ａ及び電源コネクタ５ｂを貫通させる開口部４２を有し、各コネクタ５ａ、５ｂが実装されたコネクタ基板７がビス７１によりビス止めされて装着されている。これにより、各コネクタ５ａ、５ｂに信号ケーブル５ｘ及び電源ケーブル５ｙの各外部ケーブルをハウジング２の外部から接続できる。また、映像及び音声信号用の各信号コネクタ５ａは、ハウジング２内でケーブル５１により映像信号処理回路２７、音声信号処理回路２９にそれぞれ接続され、外部からの電源ケーブル５ｙに接続される電源コネクタ５ｂは、ケーブル５２でハウジング２内の電源回路２６に接続される。
【００１６】
また、ハウジング２の内部は、角度調整機構６に隣接して底面１１に垂直に設けられた略直方体の支持柱８を有し、この支持柱８は、その先端部において、投射方向に沿って溝を成して対称に分かれた二股部８２と、この二股部８２に設けられた溝を通して貫通する回転用ねじ穴８１と、二股部８２の溝に十字状にクロスして挿入され、その中心部に回転用貫通孔９１を有する直方体の棒状回転部９とを備えている。また、支持柱８は、回転用ねじ穴８１と回転用貫通孔９１とを共通に貫通して棒状回転部９の回転軸となる回転軸棒８３をさらに備え、これにより棒状回転部９は、この回転軸棒８３の周りを自由に回転できる。
【００１７】
この棒状回転部９における一端９２は、ワイヤＬ１により角度調整機構６の調整ねじ部６１の先端に設けられた調整ねじ部６１と螺合し空洞６４を有する金属キャップ６３と接続される。この接続は、空洞６４の内部に設けたワイヤＬ１の出口の開口６５の径より大きい金属製の球体６６とワイヤＬ１とが接続され、ワイヤＬ１が金属キャップ６３から抜けずに自由に回転できるようになっている。一方、棒状回転部９の他端９３は、ワイヤＬ２により背面パネル４の上方部の接続部４３にビス等で固定されて接続されている。また、背面パネル４の下方部の接続部４４は、ばね部１２によりハウジング２の底面１１にばね部１２の固定用に設けられた矩形の突起部１３と弾性的に接続されている。このばね部１２は、ワイヤＬ１、Ｌ２を引っ張ってワイヤの弛みを無くし、棒状回転部９及び背面パネル４をスムーズに回転させる。
【００１８】
これらの接続により、角度調整機構６の調整ねじ部６１の底面からの突出量を変えると、この調整ねじ部６１の上下方向の長さの変動の力はワイヤＬ１から棒状回転部９に伝達されて、棒状回転部９の回転により、ワイヤＬ１からの力は棒状回転部９のワイヤＬ２ではハウジング２の前後方向である横方向の力に方向転換される。このとき、背面パネル４も同様に前後方向の力を受ける。これにより、両側面２ｂの回転支持部１５と背面パネル４の回転軸支持部４１により水平方向に支持されている背面パネル４は、ハウジング２の両側面２ｂで自由に回転できるので、ワイヤＬ２により水平方向の回転用ねじ１６を軸として前後方向に回転する。また、背面パネル４の下方部近傍のハウジング２の底面１１には、背面パネル４の回転止め用突起１７が設けられ、この回転止め用突起１７により、背面パネル４が必要以上に回転しないようにできる。なお、プロジェクタ１を天井に取り付けた場合のように、仰角が水平方向から下方を向くマイナス仰角となる場合には、この回転止め用突起１７をハウジング２の上面に配設させ、背面パネル４の上方部でその回転を止めるようにして前記と同様に背面パネル４の必要以上の回転を防止することができる。
【００１９】
以上の構成により、角度調整機構６と背面パネル４をリンクさせ、調整ねじ部６１のハウジング２の底面からの突出量に応じて、背面パネル４のハウジング２の側面２ｂに対する回転角度を変化させる角度調整機構６、棒状回転部９、背面パネル４、及びワイヤＬ１、Ｌ２等から成るリンク機構１０が得られる。すなわち、図５に示すように、点線で示した回転前の背面パネル４´及び棒状回転部９´に対して、調整ねじ部６１のハウジング２の底面１１からの突出量により傾斜されたハウジング２の底面１１における設置面からの傾斜角を仰角θ１とする。そして、この回転調整ねじ部６１の突出量により、回転前に比較して棒状回転部９を回転角θ２だけ回転させると、この回転力により背面パネル４を回転角θ３だけ回転させることができる。ここで、接続ワイヤＬ１、Ｌ２や棒状回転部９の長さを好適にすることにより、回転調整ねじ部６１の突出量に連動して仰角θ１と背面パネル４の回転角θ３を等しくすることができる。これにより、背面パネル４の設置面に対する角度を常に略直角に保つことができる。従って、角度調整機構６により投影レンズ３の仰角が調節されるにもかかわらず、背面パネル４は常にハウジング２が設置される面に対して略垂直に維持され、信号ケーブル５ｘ及び電源ケーブル５ｙをそれぞれ信号コネクタ５ａ及び電源コネクタ５ｂに接続し易くすることができる。
【００２０】
このように本実施形態におけるプロジェクタ１においては、プロジェクタ１の仰角を調整する角度調整機構６と背面パネル４をリンクさせ、高さを調整する調整ねじ部６１のハウジング２の底面１１からの突出量に応じて、背面パネル４のハウジング２の側面２ｂに対する回転角度を変化させるリンク機構１０を設けたことにより、ハウジング２を設置面に対して傾斜させた場合においても、コネクタ基板７を設置面に対して常に直角にできる。これにより、信号コネクタ５ａ及び電源コネクタ５ｂの方向を略水平方向に保つことができ、信号ケーブル５ｘ及び電源ケーブル５ｙとの接続がし易くなり、接続時間を短縮できる。また、背面におけるコネクタ接続において、コネクタ位置が底面近くにあっても、信号ケーブル５ｘ及び電源ケーブル５ｙを無理に曲げて接続する必要がないので、曲がりによるケーブルの電気特性の劣化、破損等を防ぐことができ、信頼性の高いコネクタ接続が可能になる。また、背面パネル４におけるコネクタ位置設計の自由度を増すことができる。また、角度調整機構６と背面パネル４の回転をリンクさせたことにより、角度調整時に自動的にコネクタ基板７を回転して直角に設定できるので、コネクタ接続の作業性が向上する。さらに、角度調整を調整ねじ部６１の底面１１からの突出量を変えて行うので、調整ねじ部６１の位置移動による大きな上下の変動力により背面パネルを回転させる回転力を大きくでき、角度調整に対応して背面パネル４を確実に応答良く直角の位置に回転させることができる。また、角度調整機構６の調整ねじ部６１は、従来の高さを調整するねじ部材を利用することにより、リンク機構１０を簡単な構成で低価格で実現することができる。
【００２１】
次に、前記実施形態に係るプロジェクタの変形例について、図７を参照して説明する。本変形例のプロジェクタ１は、基本的には前記実施形態のプロジェクタと同様の構成を成し、棒状回転部９の両端９２、９３と調整ねじ部６１及び背面パネル４との接続に棒状の剛体部材Ｌ３、Ｌ４を用いた点で異なる。
【００２２】
本変形例では、棒状回転部９の両端９２、９３と調整ねじ部６１及び背面パネル４とをそれぞれ接続する棒状の剛体部材Ｌ３、Ｌ４を備えている。剛体部材Ｌ３は調整ねじ部６１の先端の金属キャップ６４内の金属製の球体６６と溶接等で接続され、棒状回転部９とは、端部９２において金属ビス等で回転可能に接続されている。剛体部材Ｌ３は、棒状回転部９とは、端部９３及び背面パネル４の接続部４３において、同様に金属ビス等で回転可能に接続されている。これにより、調整ねじ部６１の突出量に応じて、棒状回転部９が剛体部材Ｌ３、Ｌ４と連動して回転し、背面パネル４が回転され、背面パネル４を設置面に対して直角に保つことができる。
【００２３】
このように、本変形例のプロジェクタ１によれば、調整ねじ部６１と棒状回転部９間及び棒状回転部９と背面パネル４間のそれぞれの接続にワイヤＬ１、Ｌ２（図３参照）ではなく、棒状の剛体部材Ｌ３、Ｌ４を用いたことにより、調整ねじ部６１の突出量の長短のいずれの変化に対しても撓みや弛みがなく直線的に連動してその変動を棒状回転部９及び背面パネル４に直接的に伝達できる。これにより、前記実施形態におけるばね部１２を省くことができ、部品点数が減って構成が簡単化できると共に、コストダウンできる。
【００２４】
上述した実施形態及びその変形例に係るプロジェクタ１によれば、プロジェクタ１の仰角を調整する角度調整機構６と背面パネル４の回転をリンクさせるリンク機構１０を設けたことにより、ハウジング２を設置面に対して傾斜させた場合においても、コネクタ基板７を設置面に対して略直角にできるので、信号コネクタ５ａ及び電源コネクタ５ｂの方向を略水平方向に保つことができ、信号ケーブル５ｘ及び電源ケーブル５ｙとの接続がし易くなり、接続時間を短縮できると共に、背面におけるコネクタ接続の信頼性を向上することができる。また、先に信号ケーブル５ｘ及び電源ケーブル５ｙを接続してからプロジェクタ１の仰角を設定してもコネクタ接続状態、各ケーブル５ｘ、５ｙの引き回し状態が変わらないので、設置作業を効率化できる。
【００２５】
なお、本発明は、上記実施形態に限られるものではなく、様々な変形が可能である。例えば、上記実施形態では、角度調整機構において  ハウジング内に高さ調整用に突出する部材として調整ねじ部を用いたが、この部材はねじ部材に限らずばね等を利用してハウジングの底面から上下に移動して高さを調整する突出部材であればよい。また、上記実施形態におけるリンク機構はあくまでも一例であって、少なくとも背面パネルと角度調整機構とをリンクさせるものであればどのような構成であってもよい。また、上記実施形態では、プロジェクタの設置を水平面から上方のプラス仰角で傾斜した場合について示したが、プロジェクタを天井に取り付けた場合のように、仰角を水平面よりマイナス方向に向ける場合についても同様に、背面パネルを回転させて背面パネルが天井面に略直角になるように設定することができる。
【図面の簡単な説明】
【００２６】
【図１】本発明の一実施形態に係るプロジェクタの外観を示す斜視図。
【図２】上記プロジェクタの電気的ブロック構成図。
【図３】（ａ）は、上記プロジェクタの上面開放の平面図、（ｂ）は上記プロジェクタの背面図。
【図４】図３（ａ）のＸ１−Ｘ１線断面図。
【図５】仰角調整後の図３（ａ）のＸ１−Ｘ１線断面図。
【図６】上記プロジェクタの背面パネルの外観を示す斜視図。
【図７】上記実施形態の変形例の構成図。
【図８】従来のプロジェクタの外観を示す斜視図。
【符号の説明】
【００２７】
１  プロジェクタ
２  ハウジング
３  投影レンズ
４  背面パネル
５ａ  信号コネクタ（入力コネクタ）
５ｂ  電源コネクタ（インレット）
６  角度調整機構
７  コネクタ基板
１０  リンク機構
２１ａ  光源
２１ｂ  カラーホイール
２１ｃ  集光部材
２２  ＤＭＤ
２３  ＤＭＤ駆動回路
２４  全体制御回路
２５  光駆動回路
２６  電源回路
１１  開口
６１  調整ねじ部（主脚）
【図１】
2007304146.tif 000003
【図２】
2007304146.tif 000004
【図３】
2007304146.tif 000005
【図４】
2007304146.tif 000006
【図５】
2007304146.tif 000007
【図６】
2007304146.tif 000008
【図７】
2007304146.tif 000009
【図８】
2007304146.tif 000010